(57)【特許請求の範囲】
【請求項１】
記録領域が複数のゾーンに分割された記録可能な光ディスク媒体であって、前記ゾーン毎にディスクの欠陥記録単位の代替としての記録単位を割り付ることが可能な予備領域を有する光ディスク媒体において、
前記各ゾーン毎に
該ゾーンに存在する欠陥記録単位のアドレス情報と該欠陥記録単位の代替予備領域のアドレス情報とを記録する第１の欠陥管理テーブルと、
前記ゾーンの隣のゾーンに存在する欠陥記録単位のアドレス情報と該欠陥記録単位の代替予備領域のアドレス情報とを記録する第２の欠陥管理テーブルとを備えたことを特徴とする光ディスク媒体。
【請求項２】
請求項１記載の光ディスク媒体を駆動する装置において、
特定のゾーンの記録単位にデータを記録する場合、または特定のゾーンの記録単位からデータを再生する場合、記録単位欠陥情報として該ゾーンの欠陥情報である第１の欠陥管理テーブルのみを読み込みアドレス管理をおこなう欠陥管理制御部を備えたことを特徴とする光ディスク装置。
【請求項３】
請求項１記載の光ディスク媒体を駆動する装置において、
あるゾーンに欠陥記録単位が存在する場合には、該欠陥記録単位に関する欠陥情報を、該ゾーンの前記第１の欠陥管理テーブルに記録するとともに該ゾーンの隣のゾーンの前記第２の欠陥管理テーブルへも記録するように制御する欠陥管理制御部を備えたことを特徴とする光ディスク装置。
【請求項４】
請求項３記載の光ディスク装置において、記録再生中、あるゾーンから隣のゾーンに移行する際に、移行先のゾーンにおける欠陥情報を移行元のゾーンの前記第２の欠陥管理テーブルから前もって読み出すことを特徴とする光ディスク装置。
【発明の詳細な説明】
【０００１】
【発明の属する技術分野】
この発明は、光ディスク媒体および光ディスク装置に係わるものであり、より詳しくは記録領域が円周状の境界によって複数のゾーンに分割された記録可能な光ディスクであり、前記ゾーン毎にディスクの欠陥記録単位の代替としての記録単位を割り付けることが可能な予備領域をもつ光ディスク媒体およびその装置に関するものである。
【０００２】
【従来の技術】
従来の光ディスクのデータゾーンのフォーマットについて述べる。図８はＳＴＡＮＤＡＲＤ ＥＣＭＡ−２０１ ＤＡＴＡ ＩＮＴＥＲＣＨＡＮＧＥ ＯＮ ９０ｍｍ ＯＰＴＩＣＡＬ ＤＩＳＫ ＣＡＲＴＲＩＤＧＥＳに記載された光ディスクのデータゾーンを構成を示す図である。なお、本規格は再生専用型、部分記録可能型、記録可能型について述べられているが、ここでは、記録可能型に限って説明する。図において、データゾーンは４つの欠陥管理領域（Ｄｅｆｅｃｔ  Ｍａｎａｇｅｍｅｎｔ  Ａｒｅａｓ：ＤＭＡｓ）を含む。その２つはユーザ領域の前に、後の２つはユーザ領域の後ろに配置される。バッファトラックは欠陥管理領域１の内周側と欠陥管理領域４の外周側に配置される。欠陥管理領域２と欠陥管理領域３に挟まれる領域はユーザ領域と呼びユーザのデータが記録される。各々の欠陥管理領域にはディスク定義構造（Ｄｉｓｋ Ｄｅｆｉｎｉｔｉｏｎ Ｓｔｒｕｃｔｕｒｅ：ＤＤＳ）、１次欠陥リスト（Ｐｒｉｍａｒｙ Ｄｅｆｅｃｔ Ｌｉｓｔ：ＰＤＬ）、２次欠陥リスト（Ｓｅｃｏｎｄａｒｙ Ｄｅｆｅｃｔ Ｌｉｓｔ：ＳＤＬ）が含まれる。ＤＤＳはディスクの初期化終了後、各々のＤＭＡの最初のセクタに記録される。その内容は記録可能、再生専用などゾーン毎のディスクの種類を示すコードの他、ＰＤＬ，ＳＤＬの開始アドレスが格納される。ＰＤＬは初期化時に検出されたすべての欠陥セクタのアドレスを含んでいる。また、ＳＤＬはＰＤＬの直後に配置され、記録時に検出された欠陥セクタを管理するための欠陥セクタのアドレスと交替セクタのアドレスを含んでいる。このように、ＰＤＬおよびＳＤＬは、光ディスクにおける欠陥セクタを管理する欠陥（管理）情報であり、ＰＤＬおよびＳＤＬのサイズはその内容によって決まる。そして、光ディスク上の４つの欠陥領域におけるＰＤＬ，ＳＤＬは同じものが記録される。
【０００３】
次にＰＤＬ，ＳＤＬへ欠陥記録領域を登録するときに用いられるアルゴリズムである、スリップアルゴリズム、線形置換アルゴリズムについて述べる。
まず、スリップアルゴリズムについて述べる。このアルゴリズムは初期化が行われるときに行われる方法である。初期化中に欠陥セクタが見つかるとその欠陥セクタに続く最初の欠陥のないセクタに置き換える、つまり欠陥セクタのスリップをおこなう。ゾーンの最後のセクタはそのゾーンの予備領域にはいる。欠陥セクタのアドレスはＰＤＬに登録する。もし初期化中に欠陥セクタが見つからなければＰＤＬは空である。このように初期化中欠陥セクタが多く見つかると各ゾーンの予備領域が減少してゆく。もし予備領域を使い切ってしまうと欠陥セクタは次に述べる、線形置換アルゴリズムで処理される。
【０００４】
次に線形置換アルゴリズムについて述べる。このアルゴリズムは初期化後、欠陥セクタが見つかったときや、初期化中スリップアルゴリズムで予備領域を使い切ったときにも実行される。欠陥セクタはゾーン内の最初に利用できる予備セクタに置き換える。もし、ゾーン内に予備セクタが残っていなければ、別のゾーンの最初に利用できる予備セクタで置き換える。そして欠陥セクタとそのセクタの移動先の予備セクタのアドレスがＳＤＬに登録される。ただしＰＤＬに記録されているセクタアドレスはＳＤＬに記録しない。もし、ＳＤＬに登録されている交替セクタが後に欠陥を生じた場合は、その欠陥セクタに対する新しい交替セクタをＳＤＬに登録する。
【０００５】
次にディスクにデータを書き込む手順について述べる。もし、ゾーン内のセクタにデータを書き込む場合に、そのセクタアドレスがＰＤＬに登録されているときは、その次のアドレスのセクタに書き込む。また、ＳＤＬに登録されているときは、その欠陥セクタに対する交替セクタにデータを書き込む。
【０００６】
以上のような光ディスク媒体を駆動する装置においては、書き込み、読み出しの前にあらかじめＳＤＬ，ＰＤＬのテーブルを読み込んでメモリに記憶しておき、メモリに記憶された欠陥情報をもとに欠陥セクタに対応する交替セクタにアクセスをおこなっている。
【０００７】
【発明が解決しようとする課題】
従来の光ディスク媒体および光ディスク装置は、以上のようにディスクの最内周と最外周に１次欠陥リスト、２次欠陥リストがぞれぞれあり、このような欠陥管理情報を記録再生前に一度に読み込んでメモリに記憶するため、光ディスクの容量が大きい場合には、欠陥管理領域がディスク容量に比例して大きくなるので、その欠陥管理領域から一度に読み出された欠陥管理情報を記憶するためのメモリの容量も大きなものが必要となり、それに伴いコストが増大するといった問題点があった。
【０００８】
また、少ない容量のメモリで済ませようとした場合、メモリには欠陥管理情報の一部が記憶される（読み込まれる）こととなり、メモリに記憶されていない欠陥管理情報を得る必要が生じるごとに、ディスクの内周、あるいは外周まで、光ディスク装置の光ヘッドをシークさせなければならず、記録再生時間に余分な時間がかかってしまうといった問題点があった。
【０００９】
この発明は以上のような問題点を解決するためになされたもので、容量の大きな光ディスク媒体に対しても欠陥記録単位の管理が容易となる光ディスク媒体および光ディスク装置を得ることを目的とする。
【００１０】
【課題を解決するための手段】
請求項１記載の光ディスク媒体は、記録領域が複数のゾーンに分割された記録可能な光ディスク媒体であって、前記ゾーン毎にディスクの欠陥記録単位の代替としての記録単位を割り付ることが可能な予備領域を有する光ディスク媒体において、前記各ゾーン毎に該ゾーンに存在する欠陥記録単位のアドレス情報と該欠陥記録単位の代替予備領域のアドレス情報とを記録する第１の欠陥管理テーブルと、前記ゾーンの隣のゾーンに存在する欠陥記録単位のアドレス情報と該欠陥記録単位の代替予備領域のアドレス情報とを記録する第２の欠陥管理テーブルとを備えたことを特徴とする。
【００１１】
請求項２記載の光ディスク装置は、上記の光ディスク媒体を駆動する装置において、特定のゾーンの記録単位にデータを記録する場合、または特定のゾーンの記録単位からデータを再生する場合、記録単位欠陥情報として該ゾーンの欠陥情報である第１の欠陥管理テーブルのみを読み込みアドレス管理をおこなう欠陥管理制御部を備えたことを特徴とする。
【００１２】
請求項３記載の光ディスク装置は、上記の光ディスク媒体を駆動する装置において、あるゾーンに欠陥記録単位が存在する場合には、該欠陥記録単位に関する欠陥情報を、該ゾーンの前記第１の欠陥管理テーブルに記録するとともに該ゾーンの隣のゾーンの前記第２の欠陥管理テーブルへも記録するように制御する欠陥管理制御部を備えたことを特徴とする。
【００１３】
請求項４記載の光ディスク装置は、上記の光ディスク装置において、記録再生中、あるゾーンから隣のゾーンに移行する際に、移行先のゾーンにおける欠陥情報を移行元のゾーンの前記第２の欠陥管理テーブルから前もって読み出すようにしたものである。
【００１４】
【発明の実施の形態】
以下、この発明の実施の形態を図をもとに具体的に説明する。
実施の形態１．
図１はこの発明の実施の形態１である光ディスク媒体のデータゾーンの構成を示す図である。図１に示すゾーンはディスクの半径方向の位置に応じて分割した複数の領域である。また、各ゾーンには欠陥管理領域がある。各々の欠陥管理領域にはディスク定義構造（Ｄｉｓｋ Ｄｅｆｉｎｉｔｉｏｎ Ｓｔｒｕｃｔｕｒｅ：ＤＤＳ）、１次欠陥リスト（Ｐｒｉｍａｒｙ Ｄｅｆｅｃｔ Ｌｉｓｔ：ＰＤＬ）、２次欠陥リスト（Ｓｅｃｏｎｄａｒｙ Ｄｅｆｅｃｔ Ｌｉｓｔ：ＳＤＬ）が含まれる。ＳＤＬはＰＤＬの直後に配置される。ＳＤＬ、ＰＤＬのサイズはその内容によって決まる。ＤＤＳはディスクの初期化終了後、各々の欠陥管理領域の最初の記録領域に記録される。またその内容は記録可能、再生専用などゾーン毎のディスクの種類を示すコードの他、ＰＤＬ，ＳＤＬの開始アドレスが格納される。ＰＤＬは初期化時に検出されたすべての欠陥記録領域のアドレスを含む。ＳＤＬは記録時に検出された欠陥記録領域を管理し、欠陥記録領域のアドレスと交替予備領域のアドレスを含む。以上の処理は各ゾーンに対して予備領域が残っている限りにおいて、欠陥記録領域の管理はその記録領域を含むゾーン内にある欠陥管理領域において管理される。各ゾーンのＰＤＬにはそのゾーンに含まれる初期化時に見つけられた欠陥記録単位、すなわち欠陥記録セクタが記録され、スリップアルゴリズムによってそのアドレス管理がなされる。また、初期化時に予備領域をすべて使い果たした場合は別のゾーンの予備領域を使い、線形置換アルゴリズムによりそのアドレス管理を行う。
【００１５】
また、欠陥記録単位のアドレス情報のみを持つ欠陥管理テーブルＰＤＬと、欠陥記録単位のアドレス情報と代替予備領域のアドレス情報を持つ欠陥管理テーブルＳＤＬのうち、予備領域の大きさは、ＳＤＬでアドレス管理できる領域の大きさと等しいかあるいは小さいものとする。
さらに、各ゾーンの欠陥管理領域の大きさが同じにされ、各ゾーンで記録できる欠陥記録単位のアドレス情報と該欠陥記録単位の代替予備領域のアドレス情報の量（数）を等しくする。
【００１６】
図２はこの発明の実施の形態１である光ディスク装置のブロック構成を示す図である。図において１は光ディスク、２は光ディスク１を回転駆動するディスクモータ、３は光ディスクにレーザを照射して記録再生をおこなう光ヘッド、４は光ヘッドを所望のゾーン位置に位置決めするための、つまりシーク動作のための送りモータ、５は光ヘッドからの再生データ、および光ヘッドへの記録データの誤り訂正処理、変復調等をおこなう情報記録再生手段、６は光ディスクから読み出した欠陥管理情報を記憶しておくための欠陥管理情報用メモリ、７は欠陥管理を行う欠陥管理制御部である。
【００１７】
次にこの図において欠陥管理処理部７を中心として光ディスクに情報を記録する方法について述べる。まず、記録しようとしているゾーンへ光ヘッド３を送りモータ４で移動する。次にそのゾーンにある欠陥管理領域からＰＤＬ，ＳＤＬを読み出し、情報記録再生手段５を経由して欠陥管理情報用メモリ６に記憶する。ゾーン内の記録しようとするアドレス位置の記録単位が、ＰＤＬに登録されているときは、その次のアドレスの記録単位に書き込む。また、ＳＤＬに登録されているときはその欠陥記録単位に対する交替記録単位に情報を書き込む。さらに、書き込んだ後、図示しない誤り訂正／検出手段により、欠陥セクタを発見した場合には、そのセクタをＳＤＬに登録し、該欠陥セクタに記録すべき情報を線形置換アルゴリズムにより特定された予備領域に記録する。
次にこの図において欠陥管理処理部７を中心として光ディスクに情報を再生する方法について述べる。まず、再生しようとしているゾーンへ光ヘッド３を送りモータ４で移動する。次にそのゾーンにある欠陥管理領域からＰＤＬ，ＳＤＬを読み出し、情報記録再生手段５を経由して欠陥管理情報用メモリ６に記憶する。ゾーン内の再生しようとするアドレス位置の記録単位が、ＰＤＬに登録されているときは、その次のアドレスの記録単位から読み出す。また、ＳＤＬに登録されているときはその欠陥記録単位に対する交替記録単位から情報を読み出す。
【００１８】
このような形態において、特定のゾーン内の欠陥管理領域に登録できるアドレス情報は少なくとも、そのゾーンの交替領域（スペア領域）のアドレスをすべて記録可能な大きさにする。欠陥管理のテーブルには１次欠陥管理情報（ＰＤＬ）と２次欠陥管理情報（ＳＤＬ）の２つのテーブルがある。１次欠陥管理情報は欠陥のある記録単位のアドレスを含むのに対して、２次欠陥管理情報は欠陥のある記録単位のアドレスの他に、交代領域として割り当てられた予備領域のアドレスも持つ。よって２次欠陥記録管理情報のほうが、同じ欠陥記録単位を登録する場合より大きな領域を必要とする。つまり、初期化時に欠陥記録単位が検出されず、つまりスリップアルゴリズムによる１次欠陥管理情報が無く、すべてのスペア領域が線形置換アルゴリズムによる２次欠陥管理情報の場合でも登録することが可能なように欠陥管理領域と予備領域の大きさを決めなければならない。
【００１９】
このような形態を採ることにより、容量が大きく、従って欠陥管理情報も大きい光ディスクに対して、欠陥管理領域をディスクのゾーン毎に分散させたことによって、光ディスク装置の欠陥管理領域の情報を記憶するための必要メモリを減少させることが可能になり、コストの低減が可能になる。
また、欠陥管理領域が従来の光ディスクに比べアクセスするユーザ領域の近くにあるので光ディスク装置の欠陥管理処理に要する時間の短縮が行える。
【００２０】
実施の形態２．
前記実施の形態１では、各ゾーンの先頭に一つの管理領域を有していたが、本実施の形態においては各ゾーンの先頭に２つの欠陥管理領域を持つ。この２つの欠陥管理情報は同じものである。図３はこの発明の実施の形態２である光ディスク媒体のデータゾーンの構成を示す図である。図においてユーザ領域、予備領域は実施の形態１で述べたものと同様である。
【００２１】
このような形態を採ることにより、仮にゾーン内の一つの欠陥管理情報が破壊されて装置が読めなくなった場合でも、もう一つの欠陥管理領域を読むことにより正しく欠陥管理を維持することができる。
【００２２】
実施の形態３．
前記実施の形態２では、各ゾーンの先頭に２つの欠陥管理領域を有していたが、本実施の形態においては各ゾーンの先頭と末尾にそれぞれ欠陥管理領域を持つ。この２つの欠陥管理情報は同じものである。図４はこの発明の実施の形態３である光ディスク媒体のデータゾーンの構成を示す図である。図においてユーザ領域、予備領域は実施の形態１で述べたものと同様である。また本実施の形態３では、各ゾーンの先頭と末尾にそれぞれ１つの欠陥管理領域を有しているが、先頭末尾それぞれに複数の管理領域を有することもできる。
【００２３】
このような形態を採ることで、特定のゾーンのデータを読もうとし、光ディスクのデータを読みとる光ヘッドが前記ゾーンより外周に位置する場合には、ゾーンシーク中に必ず外周の方の欠陥管理領域を通過する。逆に光ヘッドが前記ゾーンより内周に位置する場合には、ゾーンシーク中に必ず内周の方の欠陥管理情報を通過する。よって、アクセス時間の短いほうの欠陥管理領域を読むことにより、データ読みとり時間の短縮をはかることができる。
【００２４】
実施の形態４．
前記実施の形態１、２、３では一つのゾーン内の予備領域が無くなった場合、たとえ他のゾーンの予備領域が余っていてもそれ以上欠陥を登録することができない。本実施の形態４では、そのような場合別のゾーンの予備領域で空きがあるところに、欠陥記録単位を代替する。図５はこの発明の実施の形態４である光ディスク媒体の欠陥管理を示す図である。図においてユーザ領域アドレスｘｘの記録単位が欠陥である場合、本来はその欠陥のあるゾーンの予備領域に代替領域を確保する。しかし、ここでは欠陥のあるゾーンの予備領域がすべて使用されているの、で別のゾーンの予備領域のアドレスｙｙの空き領域を使用する。別のゾーンの選定の仕方は、最も欠陥記録単位のあるゾーンに近いもので予備領域の残っているものから選定する。
【００２５】
このような形態を採ることで、特定のゾーンの予備領域が無くなった場合でも、別のゾーンの予備領域がある限りにおいて交代処理を維持することができる。
【００２６】
実施の形態５．
前記実施の形態１、２、３、４では各ゾーンの欠陥管理領域の大きさは同じであるものとして説明したが、ゾーンの大きさが異なることも考えられる。本実施の形態５では、このようにゾーンの大きさがそれぞれ異なる場合に、ゾーンのユーザ領域の大きさに比例して欠陥管理領域と予備領域の大きさを決める。図６はこの発明の実施の形態５である光ディスク媒体のデータゾーンの構成を示す図である。この図では、例えば大きさが１：１．２：１．５の３つのユーザ領域Ａ，Ｂ，Ｃがあるものとしており、ユーザ領域Ａ，Ｂ，Ｃの大きさに比例してぞれぞれの欠陥管理領域Ａ，Ｂ、Ｃと予備領域Ａ，Ｂ，Ｃの大きさも１：１．２：１．５にする。
【００２７】
ユーザ領域の欠陥記録単位の欠陥率はゾーンによらず一定と考えられる。したがって、このような形態を採ることにより、つまりユーザ領域に対する欠陥管理領域と予備領域の比を一定にすることにより、予備領域の使用率もほぼ一定になり、特定のゾーンの予備領域を他のものより早く使いきってしまうのを防ぐことができる。
【００２８】
実施の形態６．
図７はこの発明の実施の形態６である光ディスク媒体のデータゾーンの構成を示す図である。図に示すように各ゾーンには４つの欠陥管理領域を設ける。その２つはユーザ領域の前に、あとの２つはユーザ領域の後ろにつける。ユーザ領域の前の２つの欠陥管理領域は１つがそのゾーンの欠陥管理情報、もう一つが一つ手前のゾーンの欠陥管理情報とする。また、ユーザ領域の後ろの２つの欠陥管理情報は１つがそのゾーンの欠陥管理情報、もう一つが一つ後ろの欠陥管理情報とする。また、一番先頭のゾーンの先頭２つの欠陥管理領域はともに、そのゾーンの欠陥管理領域とする。一番後ろのゾーンの後ろ２つの欠陥管理領域はともに、そのゾーンの欠陥管理領域とする。
【００２９】
各ゾーンにおける欠陥管理領域の多重度は、媒体欠陥特性から判断して与える。例えば、すべての各ゾーンに対して、自ゾーン、前ゾーン、後ゾーンの管理テーブルをそれぞれ１つづつ持つこともできる。
【００３０】
このような形態をとることにより、あるゾーンの欠陥管理領域は、自ゾーン内に２個所、前のゾーンの末尾と後ろのゾーンの先頭に各１個所存在するので、少なくとも４重化されており、欠陥や塵、媒体劣化によるデータエラーが発生しても、欠陥管理領域のデータ信頼性を確保できる。
【００３１】
また、前ゾーンの末尾で次のゾーンの欠陥管理領域を読み込むことができるので、ゾーン毎に回転数が異なるゾーンフォーマットであるＺＣＬＶ（Ｚｏｎｅｄ Ｃｏｎｓｔａｎｔ Ｌｉｎｅａｒ Ｖｅｌｏｃｉｔｙ）方式のディスクにおいて、ゾーン移行に伴うディスク回転整定待ち時間（ディスクの回転数が安定する迄の時間）等の間に、次のゾーンの欠陥管理領域の情報の認識を装置が完了し、新しいゾーンに入ってからの記録再生を可能になるまでの時間を減らすことが可能になる。
【００３２】
【発明の効果】
この発明は、以上説明したように構成されているので、以下に示すような効果を奏する。
【００３３】
本発明の光ディスク媒体においては、特定のゾーンのデータを読み出す場合に、データ読み取り用光ヘッドが前記ゾーンより外周に位置するときには、ゾーンシーク中に必ず外周の方の欠陥管理領域を通過する。逆に光ヘッドが前記ゾーンより内周に位置するときには、ゾーンシーク中に必ず内周の方の欠陥管理情報を通過する。よって、アクセス時間の短いほうの欠陥管理領域を読むことにより、データ読み取り時間の短縮をはかることができる。
また、あるゾーンの欠陥管理領域は、自ゾーン内に２個所、前のゾーンの末尾および／または後ろのゾーンの先頭に各１個所存在するので、少なくとも３重化されており、欠陥や塵、媒体劣化によるデータエラーが発生しても、欠陥管理領域のデータ信頼性を確保できる。
さらに、前ゾーンの末尾で次のゾーンの欠陥管理領域を読み込むことができるので、ゾーン毎に回転数が異なるゾーンフォーマットであるＺＣＬＶ（Ｚｏｎｅｄ Ｃｏｎｓｔａｎｔ Ｌｉｎｅａｒ Ｖｅｌｏｃｉｔｙ）方式のディスクにおいて、ゾーン移行に伴うディスク回転整定待ち時間等の間に、次のゾーンの欠陥管理領域の情報の認識を装置が完了し、新しいゾーンに入ってからの記録再生を可能になるまでの時間を減らすことが可能になる。
【００３４】
本発明の光ディスク装置においては、特定のゾーンの記録単位にデータを記録する場合、または特定のゾーンの記録単位からデータを再生する場合、記録単位欠陥情報として該ゾーンの欠陥情報である第１の欠陥管理テーブルのみを読み込みアドレス管理をおこなうので、欠陥管理領域の情報を記憶するための必要メモリを減少させることが可能になり、コストの低減が可能になる。
【００３５】
また、あるゾーンに欠陥記録単位が存在する場合には、該欠陥記録単位に関する欠陥情報を、該ゾーンの前記第１の欠陥管理テーブルに記録するとともに該ゾーンの隣のゾーンの前記第２の欠陥管理テーブルへも記録するようにしたので、特定のゾーンのデータを読み出す場合に、データ読み取り用光ヘッドが前記ゾーンより外周に位置するときには、ゾーンシーク中に必ず外周の方の欠陥管理領域を通過する。逆に光ヘッドが前記ゾーンより内周に位置するときには、ゾーンシーク中に必ず内周の方の欠陥管理情報を通過する。よって、アクセス時間の短いほうの欠陥管理領域を読むことにより、データ読み取り時間の短縮をはかることができる。
また、あるゾーンの欠陥管理領域は、自ゾーン内に２個所、前のゾーンの末尾および／または後ろのゾーンの先頭に各１個所存在するので、少なくとも３重化あるいは４重化されており、欠陥や塵、媒体劣化によるデータエラーが発生しても、欠陥管理領域のデータ信頼性を確保できる。
さらに、前ゾーンの末尾で次のゾーンの欠陥管理領域を読み込むことができるので、ゾーン毎に回転数が異なるゾーンフォーマットであるＺＣＬＶ（Ｚｏｎｅｄ Ｃｏｎｓｔａｎｔ Ｌｉｎｅａｒ Ｖｅｌｏｃｉｔｙ）方式のディスクにおいて、ゾーン移行に伴うディスク回転整定待ち時間等の間に、次のゾーンの欠陥管理領域の情報の認識を装置が完了し、新しいゾーンに入ってからの記録再生を可能になるまでの時間を減らすことが可能になる。
【図面の簡単な説明】
【図１】この発明の実施の形態１である光ディスク媒体のデータゾーンの構成を示す図である。
【図２】この発明の実施の形態１である光ディスク装置を構成を示すブロック図である。
【図３】この発明の実施の形態２である光ディスク媒体のデータゾーンの構成を示す図である。
【図４】この発明の実施の形態３である光ディスク媒体のデータゾーンの構成を示す図である。
【図５】この発明の実施の形態４である光ディスク媒体の欠陥管理を示す図である。
【図６】この発明の実施の形態５である光ディスク媒体のデータゾーンの構成を示す図である。
【図７】この発明の実施の形態６である光ディスク媒体のデータゾーンの構成を示す図である。
【図８】従来の光ディスク媒体のデータゾーンの構成を示す図である。
【符号の説明】
１  光ディスク、２  ディスクモータ、３  光ヘッド、４  送りモータ、５  情報記録再生手段、６  欠陥管理情報用メモリ、７  欠陥管理情報制御部。
【図１】
0003562110.tif 000002
【図２】
0003562110.tif 000003
【図３】
0003562110.tif 000004
【図４】
0003562110.tif 000005
【図５】
0003562110.tif 000006
【図６】
0003562110.tif 000007
【図７】
0003562110.tif 000008
【図８】
0003562110.tif 000009